(57)【要約】【課題】生成される画像の範囲をユーザに合わせることができる、撮影装置、画像処理方法、及び画像処理プログラムを提供する。【解決手段】本発明に係る撮影装置は、被写体を撮影する撮影部と、表示部と、複数の画像範囲の候補を、前記表示部に表示させる、制御部と、前記複数の候補の中から、一の候補の選択を受け付ける、入力部と、を備え、前記制御部は、選択された前記候補に基づいて、ユーザが取得する画像を生成するように構成されている。【選択図】図８
2019045772.tif 000002
【特許請求の範囲】
【請求項１】
被写体を撮影する撮影部と、
表示部と、
複数の画像範囲の候補を、前記表示部に表示させる、制御部と、
前記複数の候補の中から、一の候補の選択を受け付ける、入力部と、
を備え、
前記制御部は、選択された前記候補に基づいて、ユーザが取得する画像を生成するように構成されている、撮影装置。
【請求項２】
前記撮影部は、前記被写体を撮影した撮影画像を生成し、
前記制御部は、前記撮影画像から前記複数の候補を抽出し、前記表示部に表示させる、請求項１に記載の撮影装置。
【請求項３】
前記表示部に表示される前記各候補は、前記撮影部によって撮影されたライブビューにより構成される、請求項１に記載の撮影装置。
【請求項４】
前記被写体の全身を撮影する第１撮影モードと、前記被写体の顔を中心に撮影する第２撮影モードと、を備え、
前記制御部は、前記第１撮影モード及び前記第２撮影モードのそれぞれにおいて、前記複数の候補を、前記表示部に表示させる、請求項１から３のいずれかに記載の撮影装置。
【請求項５】
前記第１撮影モードにおける前記複数の候補は、縦横比が同じで、大きさが異なるように構成されている、請求項４に記載の撮影装置。
【請求項６】
前記第２撮影モードにおける前記複数の候補は、大きさが同じで、上下方向の位置が異なるように構成されている、請求項４または５に記載の撮影装置。
【請求項７】
異なる画像範囲の候補を表示するステップと、
前記複数の候補の中から、一の候補の選択を受け付けるステップと、
選択された前記候補に基づいて、ユーザが取得する画像を生成するステップと、
を備えている、画像処理方法。
【請求項８】
コンピュータに、
複数の画像範囲の候補を表示するステップと、
前記複数の候補の中から、一の候補の選択を受け付けるステップと、
選択された前記候補に基づいて、ユーザが取得する画像を生成するステップと、
を実行させる、画像処理プログラム。
【発明の詳細な説明】
【技術分野】
【０００１】
本発明は、撮影装置、画像処理方法、及び画像処理プログラムに関する。
【背景技術】
【０００２】
従来、利用者をカメラで撮影することで得られた撮影画像を写真印刷シートとして出力したり、ネットワークを介して外部の装置に送信したりすることができる遊戯用撮影装置が知られている。このような遊戯用撮影装置では、写真の見栄えを良くするために、種々の編集作業が行えるようになっている。例えば、特許文献１には、目の大きさの変更、明るさの変更、落書きの追加等の編集が可能な遊戯用撮影装置が提案されている。
【先行技術文献】
【特許文献】
【０００３】
【特許文献１】特開２０１７−０３８３４４号公報
【発明の概要】
【発明が解決しようとする課題】
【０００４】
ところで、上記のような装置で撮影を行う場合には、カメラによる撮影範囲に依存して生成される画像の範囲が予め決まっているため、ユーザは、その撮影範囲内に入って撮影を行う必要がある。しかしながら、撮影に適した範囲は、被写体の数、身長などによるため、一意的に決めることはできない。そのため、従来の遊戯用撮影装置では、予め決められた撮影範囲にしたがうように、ユーザが立ち位置やポーズを変える必要があった。なお、このような問題は、遊戯用撮影装置に限られず、例えば、証明写真機を含む撮影装置全般に生じ得る問題である。
【０００５】
本発明は、上記問題を解決するためになされたものであり、生成される画像の範囲をユーザに合わせることができる、撮影装置、画像処理方法、及び画像処理プログラムを提供することを目的とする。
【課題を解決するための手段】
【０００６】
本発明に係る撮影装置は、被写体を撮影する撮影部と、表示部と、複数の画像範囲の候補を、前記表示部に表示させる、制御部と、前記複数の候補の中から、一の候補の選択を受け付ける、入力部と、を備え、前記制御部は、選択された前記候補に基づいて、ユーザが取得する画像を生成するように構成されている。
【０００７】
本発明に係る画像処理方法は、前記撮影部は、前記被写体の全身を撮影する第１撮影モードと、前記被写体の顔を中心に撮影する第２撮影モードと、を備え、前記制御部は、前記第１撮影モード及び前記第２撮影モードのそれぞれにおいて、前記複数の画像候補を、前記表示部に表示させる、請求項１または２に記載の画像処理装置。
【０００８】
本発明に係る画像処理方法は、複数の画像範囲の候補を表示するステップと、前記複数の候補の中から、一の候補の選択を受け付けるステップと、選択された前記候補に基づいて、ユーザが取得する画像を生成するステップと、を備えている。
【０００９】
本発明に係る画像処理プログラムは、コンピュータに、複数の画像範囲の候補を表示するステップと、前記複数の候補の中から、一の候補の選択を受け付けるステップと、選択された前記候補に基づいて、ユーザが取得する画像を生成するステップと、を実行させる。
【発明の効果】
【００１０】
本発明によれば、生成される画像の範囲をユーザに合わせることができる。
【図面の簡単な説明】
【００１１】
【図１Ａ】本発明の一実施形態に係る撮影装置（カーテンなし）の外観を示す斜視図である。
【図１Ｂ】図１Ａの撮影装置（カーテンあり）の外観を示す斜視図である。
【図２】図１の撮影装置の撮影ユニットの一例を例示する。
【図３】図１の撮影装置のハードウェア構成の一例を例示する。
【図４】図１の撮影装置のソフトウェア構成の一例を例示する。
【図５】撮影の依頼を受け付けるための処理手順の一例を例示する。
【図６】ユーザの撮影する処理手順の一例を例示する。
【図７】全身撮影におけるユーザ取得画像の画像範囲を説明する図である。
【図８】全身撮影におけるユーザ取得画像の画像範囲の設定画面である。
【図９】全身撮影を行う画面である。
【図１０】アップ撮影におけるユーザ取得画像の画像範囲を説明する図である。
【図１１】アップ撮影におけるユーザ取得画像の画像範囲の設定画面である。
【図１２】アップ撮影を行う画面である。
【図１３】アップ撮影におけるユーザ取得画像の画像範囲を説明する図である。
【図１４】アップ撮影におけるユーザ取得画像の画像範囲の設定画面である。
【図１５】大きくする画像を選択する画面である。
【図１６】アップ撮影におけるユーザ取得画像の画像範囲の設定を説明する図である。
【図１７】アップ撮影におけるユーザ取得画像の画像範囲の設定画面である。
【発明を実施するための形態】
【００１２】
＜１．撮影装置の概要＞
以下、本実施形態に係る撮影装置について説明する。図１Ａは、本実施形態に係る撮影装置１００からカーテン１３を取り除いた状態を示す斜視図、図１Ｂは、図１Ａにおいてカーテン１３を取り付けた状態を示す斜視図である。
【００１３】
図１Ａ及び図１Ｂに示されるとおり、撮影装置１００は、直方体状の筐体１を備えており、この筐体１の側面には、内部の撮影空間１０に通じる出入口１１が形成されている。この出入口１１の上縁にはカーテンレール１２が取り付けられており、このカーテンレール１２には、カーテン１３が取り付けられている。これにより、利用者が撮影を行う際には、カーテン１３を閉じることで、撮影空間１０を外部から見えないようにすると共に、外部から余計な光が撮影空間１０に入らないようにすることができる。筐体１の内装において、後述するカメラ３２が配置される面とは反対側の面（背面）等の撮影範囲には、クロマキー合成処理のための単一の色（例えば、青色、緑色等）が付される。単一の色が付される範囲は、撮影範囲の一部であってもよいし、全体であってもよい。
【００１４】
筐体１の外壁の出入口１１付近には、受付ユニット２が設けられている。受付ユニット２は、撮影装置１００による写真撮影の依頼を受け付けるように構成される。一方、筐体１の内部（撮影空間１０）において、撮影時に利用者が存在すべき位置の前方には、撮影ユニット３が設けられている。撮影ユニット３は、撮影空間１０内の利用者を撮影し、得られた画像の編集を受け付け、編集された画像をプリントするように構成される。各ユニット（２、３）の構成の詳細は後述する。
【００１５】
＜２．撮影装置のハードウェア構成＞
次に、図２及び図３を更に用いて、本実施形態に係る撮影装置１００のハードウェア構成について説明する。図２は、本実施形態に係る撮影装置１００の撮影ユニット３を例示する。図３は、撮影装置１００のハードウェア構成の一例を模式的に例示する。
【００１６】
図３に示すように、本実施形態に係る撮影装置１００は、受付ユニット２、撮影ユニット３、制御部５、記憶部６、通信インタフェース７、及びドライブ８が電気的に接続されたコンピュータである。なお、図３では、通信インタフェースを「通信Ｉ／Ｆ」と記載している。
【００１７】
制御部５は、ＣＰＵ（Central Processing Unit）、ＲＡＭ（Random Access Memory）、ＲＯＭ（Read Only Memory）等を含み、情報処理に応じて各構成要素の制御を行う。記憶部６は、例えば、ハードディスクドライブ、ソリッドステートドライブ等の補助記憶装置であり、制御部５で実行されるプログラム６１等の各種データを記憶する。
【００１８】
プログラム６１は、写真撮影の依頼の受け付け、受け付けた依頼に応じた写真撮影、印刷を行うための処理を撮影装置１００に実行させるためのプログラムである。この他、記憶部６には、各処理過程で利用される画面データ等が記憶される。詳細は後述する。
【００１９】
通信インタフェース７は、例えば、有線ＬＡＮ（Local Area Network）モジュール、無線ＬＡＮモジュール等であり、ネットワークを介した有線又は無線通信を行うためのインタフェースである。通信インタフェース７の種類は、撮影装置１００の設置場所等に応じて適宜選択されてよい。撮影装置１００は、通信インタフェース７を介して、外部サーバ等とデータ通信を行うことができる。
【００２０】
ドライブ８は、例えば、ＣＤ（Compact Disk）ドライブ、ＤＶＤ（Digital Versatile Disk）ドライブ等であり、記憶媒体（不図示）に記憶されたプログラムを読み込みための装置である。ドライブ８の種類は、記憶媒体の種類に応じて適宜選択されてよい。プログラム６１は、記憶媒体に記憶されていてもよい。
【００２１】
記憶媒体は、コンピュータその他装置、機械等が記録されたプログラム等の情報を読み取り可能なように、このプログラム等の情報を、電気的、磁気的、光学的、機械的又は化学的作用によって蓄積する媒体である。この記憶媒体の一例として、例えば、ＣＤ、ＤＶＤ、フラッシュメモリ等を挙げることができる。
【００２２】
（受付ユニット）
受付ユニット２は、タッチパネルディスプレイ２１、現金処理部２２、カードリーダ２３、及びスピーカ２４を備えている。タッチパネルディスプレイ２１は、筐体１の外側において、写真撮影を所望する利用者の目線範囲に入るように受付ユニット２本体のやや上方に配置される。タッチパネルディスプレイ２１は、制御部５により制御されて、画面表示及び選択操作の受け付けを適宜行うことで、利用者からの撮影依頼に関する操作を受け付ける。このタッチパネルディスプレイ２１の種類は、特に限定されなくてもよく、実施の形態に応じて適宜選択されてよい。例えば、タッチパネルディスプレイ２１には、感圧式、赤外線式等のタイプを利用可能である。
【００２３】
現金処理部２２は、紙幣検証器（Bill Validator）２２０、現金投入口２２１及び現金排出口２２２を備えており、各種センサにより紙幣検証器２２０又は現金投入口２２１に対する紙幣又は現金（コイン）の投入を検知する。図１Ａ及び図１Ｂに示すように、現金投入口２２１は、タッチパネルディスプレイ２１の下方近傍に配置されており、現金排出口２２２は、現金投入口２２１よりも下方に配置されている。
【００２４】
現金処理部２２は、撮影に要する金額以上の現金が投入されたことを検出した場合に、当該検知を表わす起動信号を制御部５に出力する。また、現金処理部２２は、撮影のキャンセル及び撮影に要する金額分より多い金額分の現金が投入された際に、該当金額分の現金を現金排出口２２２に排出する。
【００２５】
カードリーダ２３は、ＩＣカード、クレジットカード等のカードの情報を読取可能に構成される。このカードリーダ２３には、各種カードの情報を読取可能な公知のリーダが用いられてよい。本実施形態では、カードリーダ２３は、現金投入口２２１の近傍に配置されている。カードリーダ２３は、電子マネー、クレジットカード等による料金の支払いを受け付け、当該料金の支払いを受け付けた際には、そのことを表わす起動信号を制御部５に出力する。
【００２６】
（撮影ユニット）
図１Ａ、図１Ｂ、及び図３に示すとおり、撮影ユニット３は、タッチパネルディスプレイ３１、カメラ３２、照明ユニット３３、スピーカ３４、及びプリンタ３５を備えている。タッチパネルディスプレイ３１は、本発明の「表示部」の一例であり、カメラ３２は、本発明の「撮影部」の一例である。
【００２７】
タッチパネルディスプレイ３１は、撮影ユニット３本体の前面パネルの中央に配置されており、タッチパネルディスプレイ３１の上方には、写真撮影に利用されるカメラ３２が配置されている。制御部５は、カメラ３２による撮影を制御する。また、制御部５は、タッチパネルディスプレイ３１の表示及びタッチパネルディスプレイ３１に対する入力を制御する。タッチパネルディスプレイ３１及びカメラ３２の種類は、実施の形態に応じて適宜選択されてよい。
【００２８】
具体的には、カメラ３２は、制御部５による制御に従って撮影を行い、撮影によって得られた画像をＲＡＭ又は記憶部６に記憶する。本実施形態では、撮影時に利用者の位置が概ね決まっているため、撮影時の利用者とカメラ３２との距離が概ね決まっている。そのため、本実施形態に係るカメラ３２の焦点距離は一定である。しかしながら、カメラ３２の構成は、このような例に限られなくてもよく、ズームレンズを備えるカメラ３２の場合は、カメラ３２の焦点距離は、必要に応じて制御部５によって適切になるように制御されてもよい。なお、焦点距離の調整は、ズームレンズの外筒をカメラ３２の外部から力を加えて回す機構が必要となる。制御部５は、この機構を制御することによりズームレンズの外筒を回す量を調整する。
【００２９】
タッチパネルディスプレイ３１には、カメラ３２により撮影された画像が表示される。制御部５は、所定のタイミングで、カメラ３２により被写体（利用者）の静止画像を撮影する。また、カメラ３２は、リアルタイムに画像を取り込んで、当該画像を表わすライブビュー用の画像信号を出力する。カメラ３２から出力された画像信号は、制御部５のＲＡＭに一時的に記憶されると共にタッチパネルディスプレイ３１に送信される。これにより、タッチパネルディスプレイ３１では、カメラ３２により撮影された静止画像、当該画像信号に基づくライブ映像が表示される。
【００３０】
更に、タッチパネルディスプレイ３１には、上記プログラム６１に基づいて、撮影の案内を示す案内画面等が表示される。各画面では、選択操作等の操作入力が受け付けられる。制御部５は、各画面に対する操作入力を検知し、検知された操作入力に応じた処理を行う。
【００３１】
本実施形態では、タッチパネルディスプレイ３１の両側には、各画面に対する操作入力を行うための操作デバイスとして、一対の電子ペン４０が配置されている。各電子ペン４０は、例えば、デジタイザを構成するペンである。これに応じて、タッチパネルディスプレイ３１には、デジタイザを構成する公知のタッチパネルが積層されたディスプレイが用いられてよい。これにより、制御部５は、各電子ペン４０を識別した上で、各電子ペン４０による入力を検知することができる。
【００３２】
なお、各電子ペン４０は、ケーブル４１を介して、撮影ユニット３本体に連結されている。各ケーブル４１の長さは、タッチパネルディスプレイ３１の画面に各電子ペン４０を接触可能に適宜決定されてよい。利用者は、各電子ペン４０を利用することで、タッチパネルディスプレイ３１に表示された各画面の操作を行うことができる。
【００３３】
照明ユニット３３は、上部ストロボボックス３３１及び下部ストロボボックス３３２を備えている。図２に示すように、上部ストロボボックス３３１は、利用者側に向く曲面のカバー有しており、所定の取り付け部材を用いて、正面パネル（不図示）などに固定される。上部ストロボボックス３３１は内部に蛍光灯およびストロボ発光管を有し、正面上方から、利用者の顔付近にストロボ光を照射する。また、下部ストロボボックス３３２は、タッチパネルディスプレイ３１の下側、写真プリントの取出口３６の周囲に配置されている。下部ストロボボックス３３２の正面は垂直面を形成する板状部材により構成され、上面は急な斜面を形成する板状部材により構成される。板状部材は、乳白色のアクリル板などの透光性を有する板状部材である。下部ストロボボックス３３２もまた、内部に蛍光灯およびストロボ発光管を有する。また、各ストロボボックス（３３１、３３２）の蛍光灯は、制御部５により制御されて、電灯の発光量を調節することで、利用者の撮影処理の段階に応じて撮影空間１０内の明るさを調節する。
【００３４】
スピーカ３４及びプリンタ３５は、撮影ユニット３本体に内蔵されている。スピーカ３４は、制御部５による制御に従って、写真撮影の案内等の音声出力を行う。また、プリンタ３５は、制御部５による制御に従って、撮影された画像又は編集済みの画像をプリントし、プリントした画像を取出口３６に排出する。
【００３５】
（その他）
なお、撮影装置１００の具体的なハードウェア構成に関して、実施形態に応じて、適宜、構成要素の省略、置換及び追加が可能である。例えば、制御部５は、複数のプロセッサを含んでもよい。また、撮影装置１００は、提供されるサービス専用に設計された情報処理装置の他、汎用のＰＣ（Personal Computer）等であってもよい。
【００３６】
＜３．撮影装置のソフトウェア構成＞
次に、図４を用いて、本実施形態に係る撮影装置１００のソフトウェア構成の一例を説明する。図４は、本実施形態に係る撮影装置１００のソフトウェア構成の一例を模式的に例示する。
【００３７】
撮影装置１００の制御部５は、記憶部６に記憶されたプログラム６１をＲＡＭに展開する。そして、制御部５は、ＲＡＭに展開されたプログラム６１をＣＰＵにより解釈及び実行して、各構成要素を制御する。これによって、図５に示すように、本実施形態に係る撮影装置１００は、ソフトウェアモジュールとして、受付部５１、撮影処理部５２、及び出力処理部５５を備えるように構成される。
【００３８】
受付部５１は、撮影の依頼に関する操作画面を受付ユニット２のタッチパネルディスプレイ２１に表示すると共に、当該タッチパネルディスプレイ２１に対するタッチ操作による利用者の入力を受け付けて、その入力に応じた処理を実行する。これにより、受付部５１は、利用者からの撮影の依頼、撮影、印刷に関する設定等を受け付ける。
【００３９】
撮影処理部５２は、撮影の案内を示す案内画面等をタッチパネルディスプレイ３１に表示させると共に、カメラ３２による撮影処理を実施する。これにより、撮影処理部５２は、利用者（被写体）の写る画像を取得する。出力処理部５５は、最終的に得られた画像を紙媒体に印刷し、印刷した画像を取出口３６から出力する。また、出力処理部５５は、生成された画像と共に外部サーバに送信する。
【００４０】
撮影装置１００の各ソフトウェアモジュールに関しては後述する動作例で詳細に説明する。なお、本実施形態では、撮影装置１００の各ソフトウェアモジュールがいずれも汎用のＣＰＵにより実現される例について説明している。しかしながら、以上のソフトウェアモジュールの一部又は全部が、１又は複数の専用のハードウェアプロセッサにより実現されてもよい。また、撮影装置１００のソフトウェア構成に関して、実施形態に応じて、適宜、機能の省略、置換及び追加が行われてもよい。
【００４１】
＜４．撮影装置の動作例＞
＜４−１．撮影依頼の受け付けの処理手順＞
次に、図５を用いて、本実施形態に係る撮影装置１００による撮影依頼受付の処理手順について説明する。図５は、本実施形態に係る撮影装置１００による撮影依頼受付の処理手順の一例を例示する。
【００４２】
撮影装置１００の制御部５は、受付部５１として動作し、図５に示す処理手順に従って、撮影依頼の受付処理を行う。例えば、制御部５は、受付処理を開始するまでの間、受付ユニット２のタッチパネルディスプレイ２１に広告等のデモ画面を表示し、タッチパネルディスプレイ２１に対してタッチ操作されたことに応じて、以下の受付処理を開始する。なお、以下で説明する処理手順は一例に過ぎず、各処理は可能な限り変更されてもよい。また、以下で説明する処理手順について、実施の形態に応じて、適宜、ステップの省略、置換、及び追加が可能である。
【００４３】
（ステップＳ１００）
ステップＳ１００では、制御部５は、使用言語の種類を選択させる画面をタッチパネルディスプレイ２１に表示する。例えば、制御部５は、日本語、英語、中国語、韓国語等の各言語に対応するボタンをタッチパネルディスプレイ２１に表示し、いずれかのボタンを利用者にタッチさせる。これにより、制御部５は、使用言語の選択を受け付ける。記憶部６には、各使用言語に応じた画面データが記憶されており、制御部５は、本ステップ１００及び次のステップＳ１０２以降の処理において、選択された使用言語に応じた画面を表示するとともに、選択言語に対応する音声をスピーカ２４から出力する。使用言語の選択が完了すると、制御部５は、次のステップＳ１０２に処理を進める。
【００４４】
（ステップＳ１０２）
ステップＳ１０２では、制御部５は、印刷枚数を選択させる画面をタッチパネルディスプレイ２１に表示する。例えば、制御部５は、１枚、２枚等の印刷枚数に対応するボタンをタッチパネルディスプレイ２１に表示し、いずれかのボタンを利用者にタッチさせる。これにより、制御部５は、印刷枚数の選択を受け付ける。印刷枚数の選択が完了すると、制御部５は、次のステップＳ１０４に処理を進める。
【００４５】
（ステップＳ１０４）
ステップＳ１０４では、制御部５は、ステップＳ１０２の選択結果に基づく金額とともに、決済方法を選択させる画面をタッチパネルディスプレイ２１に表示する。例えば、制御部５は、クレジットカード、ＩＣカード、現金等の各決済方法に対応するボタンをタッチパネルディスプレイ２１に表示し、いずれかのボタンを利用者にタッチさせる。これにより、制御部５は、決済方法の選択を受け付ける。決済方法の選択が完了すると、制御部５は、次のステップＳ１０６に処理を進める。
【００４６】
（ステップＳ１０６）
ステップＳ１０６では、制御部５は、ステップＳ１０４で選択された決済方法に対応する決済画面をタッチパネルディスプレイ２１に表示する。これにより、制御部５は、ステップＳ１０４で選択された決済方法による決済を受け付ける。
【００４７】
現金での決済を選択した場合、利用者は、決済画面に指定された料金を現金投入口２２１に投入する。指定の料金（ステップＳ１０４の選択結果に基づく料金）分の現金又はそれ以上の現金が投入されると、現金処理部２２は、上記起動信号を制御部５に出力する。他方、クレジットカード又はＩＣカードでの決済を選択した場合、利用者は、対応するカードをカードリーダ２３に読み込ませる。対応するカードを読み取ると、カードリーダ２３は、上記起動信号を制御部５に出力する。制御部５は、これらの起動信号を受信した後、次のステップＳ１０８に処理を進める。
【００４８】
（ステップＳ１０８）
ステップＳ１０８では、制御部５は、印刷するシールのデザインを選択させる画面をタッチパネルディスプレイ２１に表示する。各デザインは、記憶部６に記憶されていてもよいし、ネットワークを介してＮＡＳ（Network Attached Storage）等の他の情報処理装置からダウンロードされてもよい。各デザインは、クロマキー合成処理により被写体に係る画像の背景として合成する背景デザイン、及びシール内に撮影画像を配置する配置デザインを規定する。
【００４９】
制御部５は、例えば、各デザインのサムネイルをタッチパネルディスプレイ２１に表示し、いずれかのサムネイルを利用者にタッチさせる。これにより、制御部５は、印刷するシールのデザインの選択を受け付ける。デザインの選択が完了すると、制御部５は、次のステップＳ１１２に処理を進める。
【００５０】
（ステップＳ１１０及びＳ１１２）
ステップＳ１１０では、制御部５は、撮影ユニット３が利用可能となるまでの間、撮影ユニット３による撮影の案内、広告等のデモ画面をタッチパネルディスプレイ２１に表示する。
【００５１】
本動作例に係る受付処理により撮影の依頼を行っている対象の利用者よりも前に、撮影装置１００を利用する利用者が存在する場合、対象の利用者が本ステップＳ１１０に到達した時点で、前の利用者が未だ撮影ユニット３による撮影処理を行っている可能性がある。制御部５は、この前の利用者が撮影ユニット３を占有している間、対象の利用者を筐体１の外側で待機させるために、本ステップＳ１１２によりデモ画面を表示する。なお、前の利用者が存在せず、又は前の利用者の撮影が完了しており、撮影ユニット３が直ちに利用可能な場合には、制御部５は、本ステップＳ１１０の処理を省略してもよい。
【００５２】
次のステップＳ１１２では、制御部５は、撮影空間１０への移動案内をタッチパネルディスプレイ２１に表示し、撮影の依頼を行っていた利用者に対して撮影空間１０内に移動するように促す。これにより、制御部５は、本動作例に係る受付処理を終了する。
【００５３】
なお、各ステップで表示される画面には、一つ前のステップに戻ったり、最初のステップＳ１００に戻ったりするためのボタンが設けられてもよい。これにより、利用者は、受付処理を所望のステップに戻したり、撮影の依頼をキャンセルしたりすることができる。
【００５４】
＜４−２．撮影の処理手順＞
次に、図６を用いて、本実施形態に係る撮影装置１００による撮影の処理手順について説明する。図６は、本実施形態に係る撮影装置１００による撮影の処理手順の一例を例示する。
【００５５】
撮影装置１００の制御部５は、上記受付処理が完了したことに応じて、撮影処理部５２として動作し、図６に示す撮影処理を開始する。なお、以下で説明する処理手順は一例に過ぎず、各処理は可能な限り変更されてもよい。また、以下で説明する処理手順について、実施の形態に応じて、適宜、ステップの省略、置換、及び追加が可能である。
【００５６】
（ステップＳ２００）
ステップＳ２００では、制御部５は、撮影を開始するための画面をタッチパネルディスプレイ３１に表示する。例えば、制御部５は、撮影プレイの開始を利用者に容認させるためのスタートボタンを含む画面をタッチパネルディスプレイ３１に表示し、利用者に対して、一対の電子ペン４０のいずれかにより当該スタートボタンをタッチさせる。これにより、制御部５は、撮影の開始を受け付けて、次のステップＳ２０２に処理を進める。なお、以下の処理では特に断りのない限り、いずれかの電子ペン４０により、タッチパネルディスプレイ３１をタッチすることで、撮影処理を進めることとする。したがって、以下では、「タッチ」との文言は、電子ペン４０によるタッチを意味する。
【００５７】
（ステップＳ２０２及びＳ２０４）
ステップＳ２０２において、制御部５は、全身撮影（第１撮影モード）を行うことの案内をタッチパネルディスプレイ３１に表示した後、画像範囲の設定を行う。例えば、カメラ３２で全身の撮影を行うと、図７に示すような撮影画像（原画）が生成される。しかしながら、撮影画像の周縁部は光学的に歪みが生じるおそれがあるため、周縁部を切り取り、ユーザが取得する画像の画像範囲を決定する。以下、この画像範囲に基づいて、ユーザが取得する画像を「ユーザ取得画像」と称することとする。
【００５８】
図７の例では、全身撮影に際しての、ユーザ取得画像用の２つの画像範囲の候補を示している。すなわち、撮影画像の中で、標準的な範囲を示す矩形状の第１範囲と、この第１範囲よりも広い矩形状の第２範囲とが示されている。撮影空間１０内でのユーザの立つ位置はほぼ同じであるため、第１範囲及び第２範囲の下辺の上下方向の位置は同じである。また、第１範囲及び第２範囲の縦横比は同じである。
【００５９】
このように設定された第１範囲及び第２範囲は、図８に示す画面に表示される。図８の例では、図７で示した撮影画像から、第１範囲及び第２範囲を輪郭とする各画像、つまりユーザ取得画像がトリミングされて同時に表示されている。ここでは、第１範囲の画像が「標準」と称され、第２範囲の画像が「広め」と称されている。図８に示すように、「広め」は、範囲が広いため、大人数での撮影に適している。このとき、図８の画面に示される、第１範囲の画像及び第２範囲の画像は、カメラ３２で撮影されているライブビューである。第１範囲の画像及び第２範囲の画像は、同じか略同じサイズで表示される。なお、図７は、ユーザ取得画像を説明するための図であり、タッチパネルディスプレイ３１には表示されず、図８の画面がタッチパネルディスプレイ３１に表示される。
【００６０】
そして、ユーザが「標準」または「広め」のいずれかの画像をタッチすると、タッチされた画像に、選択中であることを示す選択枠７８が表示される。そして、画像の選択を確定する場合には、ＯＫボタン７１をタッチする。したがって、ＯＫボタン７１がタッチされるまでは、「標準」または「広め」のいずれの画像も選択することができる。なお、図８の画面には、制限時間が設けられており、制限時間中にＯＫボタン７１がタッチされなかった場合は、選択枠７８が表示された画像を、ユーザが選択したものとして確定する。続いて、確定された画像に対応する範囲の静止画像を取得するための撮影を行う。
【００６１】
こうして、全身撮影用のユーザ取得画像の範囲が決定されると、図９に示すように、選択された範囲に対応するライブビューが表示された画面がタッチパネルディスプレイ３１に表示される。このライブビューは、図８に示された各ライブビューよりも大きいサイズで表示される。ユーザは、この範囲の中で、ライブビューを見ながら、適宜ポーズを取る。そして、カウントダウン７２が行われた後、カメラ３２により全身撮影が行われる。すなわち、ユーザ取得画像としての静止画が生成される。生成される静止画は、図８の画面にて表示されたライブビュー像の表示範囲と同一の範囲の画像としてもよいし、当該ライブビュー像の表示範囲に近似する範囲の画像としてもよい。ここでは、カウントダウンとともに、２回の撮影が行われる。
【００６２】
（ステップＳ２０６及びＳ２０８）
次に、制御部５は、アップ撮影（第２撮影モード）の処理を行う。すなわち、アップ撮影を行うことの案内をタッチパネルディスプレイ３１に表示した後、画像範囲の設定を行う。例えば、図１０には、全身撮影で「標準」を選択したときの、ユーザ取得画像の３つの画像範囲の候補が示されている。３つの候補は、いずれも矩形状で同じ大きさであるが、上下方向の位置が相違している。ここでは、上下方向に上から下へ、第１範囲、第２範囲、及び第３範囲が示されている。
【００６３】
このように設定された第１〜第３範囲は、図１１に示す選択画面に表示される。図１１の例では、図１０で示した撮影画像から、第１〜第３範囲を輪郭とする各画像がトリミングされて同時に表示されている。ここでは、第１〜第３範囲の画像が、左から右へ並ぶように配置されている。このとき、図１１の画面に示される、第１〜第３範囲の画像は、カメラ３２で撮影されているライブビューである。これらの第１〜第３範囲の画像は、同じか略同じサイズで表示される。なお、図１０は、ユーザ取得画像を説明するための図であり、タッチパネルディスプレイ３１には表示されず、図１１の画面がタッチパネルディスプレイ３１に表示される。
【００６４】
そして、ユーザがいずれかの画像をタッチすると、タッチされた画像の周りに選択枠７８が表示される。そして、選択を確定する場合には、ＯＫボタン７１をタッチする。したがって、ＯＫボタン７１がタッチされるまでは、いずれの画像も選択することができる。
【００６５】
こうして、アップ撮影用のユーザ取得画像の範囲が決定されると、図１２に示すように、選択された範囲に対応するライブビューが表示された画面がタッチパネルディスプレイ３１に表示される。このライブビューは、図１１に示された各ライブビューよりも大きいサイズで表示される。そして、カウントダウン７２が行われた後、カメラ３２によりアップ撮影が行われる。すなわち、ユーザ取得画像としての静止画が生成される。生成される静止画は、図１２の画面にて表示されたライブビュー像の表示範囲と同一の範囲の画像としてもよいし、当該ライブビュー像の表示範囲に近似する範囲の画像としてもよい。ここでは、カウントダウンとともに、２回の撮影が行われる。
【００６６】
ところで、上述した全身撮影において、ユーザ取得画像の範囲として「広め」を選択した場合には、多人数での撮影が想定されるため、アップ撮影におけるユーザ取得範囲も図１０で示したものよりも広くなることが好ましい。そこで、図１３に示すように、本実施形態においては、全身撮影で「広め」を選択したときには、図１０で示した範囲よりも大きい、３つのユーザ取得画像の候補が設定される。３つのユーザ取得画像の候補は、いずれも矩形状で同じ大きさであるが、上下方向の位置が相違している。ここでは、上下方向に上から下へ、第１範囲、第２範囲、及び第３範囲が示されている。
【００６７】
そして、上記と同様に、図１４に示すように、これら３つの候補のライブビューが配置された画面が、タッチパネルディスプレイ３１に表示される。これらの３つのライブビューは、上述したもの同様に、同じか略同じサイズで表示される。ユーザは、これらの中からいずれかを選択した後、図１２に示すような画面の案内により、２回の撮影を行う。
【００６８】
（ステップＳ２１０及びＳ２１２）
次に、制御部５は、ボーナス撮影の処理を行う。但し、ボーナス撮影は、撮影待ちをしているユーザがいないときに行われる。具体的には、制御部５は、受付ユニット２を操作しているユーザがいないと判断したときは（ステップＳ２１０のＮＯ）、タッチパネルディスプレイ３１に、ボーナス撮影用の画面を表示する。ボーナス撮影用の画面は、上述した図９の全身撮影用の画面が表示され、２回の撮影が行われる。但し、図１２のアップ撮影用の画面を表示することもできるが、いずれにしても既に選択したユーザ取得画像の範囲が画面に表示される。一方、制御部５が、受付ユニット２を操作しているユーザがいると判断したときは（ステップＳ２１０のＹＥＳ）、ボーナス撮影を行わない。なお、ボーナス撮影については、他の態様も可能であり、例えば、ユーザが受付ユニット２において操作している場合でも、受付ユニット２での操作が完了していない場合には、ボーナス撮影を行うこともできる。例えば、受付ユニット２での操作が始まっている場合でも、ステップＳ１１０のデモの表示が行われるまでは、ボーナス撮影を行なうことができる。
【００６９】
（ステップＳ２１４）
続いて、制御部５は、印刷されるシートの中で大きくする画像の選択を、ユーザに行わせる。すなわち、タッチパネルディスプレイ３１には、図１５に示すように、既に撮影した既に撮影したすべてのユーザ取得画像が表示され、この中から、シールの中で大きくする画像を選択する。ボーナス撮影が行われた場合には、ユーザ取得画像の中に、ボーナス撮影で撮影された画像も含まれる。そして、ユーザがいずれかの画像をタッチすると、タッチされた画像に選択枠７９が表示される。そして、選択を確定する場合には、ＯＫボタン７１をタッチする。したがって、ＯＫボタン７１がタッチされるまでは、いずれの画像も選択することができる。
【００７０】
（ステップＳ２１６）
ステップＳ２１４では、制御部５は、出力処理部５５として動作し、プリンタ３５を利用して、シートのプリント処理を開始する。このシートには、ステップＳ１０８で選択されたデザインが施され、撮影した４枚または６枚の画像が表示される。そのうち、ステップＳ２１４で選択した１枚の画像は、他の画像よりも大きく表示される。
【００７１】
また、制御部５は、ステップＳ２１０で開始したプリント処理が完了したことに応じて、プリント処理が完了したことを示す案内をタッチパネルディスプレイ３１に表示する。そして、制御部５は、シールを取出口３６から排出する。
【００７２】
このとき、制御部５は、ステップＳ１０２で選択された枚数分のシールを印刷する。各画像を印刷したシールを取出口３６から排出した後、制御部５は、利用者に対して、シールを取り出し、撮影空間１０の外へ出るように促す案内をタッチパネルディスプレイ３１に表示する。利用者は、当該案内に従って、プリントされたシールを取出口３６から取り出し、撮影空間１０から退出する。これにより、制御部５は、本動作例に係る撮影処理を終了する。
【００７３】
＜５．特徴＞
以上のように、本実施形態によれば、全身撮影及びアップ撮影において、ユーザの好みの画像範囲を設定することができる。したがって、例えば、被写体の人数が多い場合には、それに合わせてユーザ取得画像の範囲を大きくすることができる。また、アップ撮影においては、ユーザ取得画像の範囲を上下方向に調整可能であるため、例えば、子供のような背の低い被写体が含まれる場合には、範囲を下方にずらすことができるなど、被写体の身長に合わせてユーザ取得画像の範囲を調整することができる。したがって、ユーザの人数、身長等に合わせた画像を生成することができる。
【００７４】
＜６．変形例＞
以上、本発明の一実施形態について説明したが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００７５】
＜６．１＞
上記実施形態で示したユーザ取得画像の画像範囲は、一例であり、種々の大きさ、形状に設定することができる。また、上記実施形態のように、ユーザ取得画像の画像範囲を予め設定しておくほか、ユーザが設定できるようにすることもできる。例えば、アップ撮影において、ユーザ取得画像の画像範囲を設定する場合、図１６に示すように、撮影画像の中にユーザ取得画像の基準画像範囲を設定しておく。そして、この基準画像範囲に基づいて、図１７に示す画面において、ユーザが、ユーザ取得画像の画像範囲を設定できるようにする。すなわち、図１７の上ボタン７３、または下ボタン７４をタッチすると、図１６の撮影画像の中で基準画像範囲が上下に移動し、この範囲内のライブビューが図１７の画面に表示されるようになっている。一方、ズームアップボタン７５、またはズームアウトボタン７６をタッチすると、基準画像範囲が、図１６に示す中心点を基準に拡大または縮小し、その範囲内のライブビュー７７が図１７の画面に表示されるようになっている。このとき、ズームアップ等のボタン７３〜７６をタッチしても、ライブビュー７７の表示サイズは変更されない。なお、図１６及び図１７では、アップ撮影時の例を示したが、全身撮影に適用することもできる。また、中心点の位置は特には限定されず、適宜変更することができる。
【００７６】
＜６．２＞
上記実施形態では、ユーザ取得画像の画像範囲の候補の数は、特には限定されない。また、各候補の違いを画面（図８，図１１，及び図１４）に表示することもできる。例えば、図８では、標準、広めとの表示を施しているが、これ以外にライブビューの画像範囲の相違を示す表示を適宜施すことができる。
【００７７】
＜６．３＞
上記実施形態では、ユーザ取得画像の画像範囲を選択させる画面（図８，図１１，及び図１４）において、ライブビューを表示しているが、静止画を表示し、ここから画像範囲を選択させることもできる。静止画は、同じタイミングで画角の異なる複数の静止画像とすることもできるし、異なるタイミングで画角の異なる複数の静止画像とすることもできる。前者の場合は、一回の撮影で取得される原画から複数の異なる範囲の画像を抽出して複数の静止画像を得る。後者の場合は、複数回異なるトリミング範囲の撮影を行い複数の静止画像を得る。その後、撮影画面（図９，図１２）においては、選択した画像範囲に対応するライブビューを表示した上で、撮影を行うこともできる。
【００７８】
＜６．４＞
上記実施形態では、電子ペンにより、タッチパネルディスプレイ３１をタッチすることで、入力を行っているが、指でタッチすることで入力を行ってよく、あるいは物理的なボタン等の入力部を設けて入力を行うこともできる。また、入力は、音声により行うこともできる。すなわち、ユーザが、操作指示を声を発することで行い、これを受信することで、制御部５が操作を行うこともできる。
【００７９】
＜６．５＞
上記実施形態では、撮影画像からユーザ取得画像のトリミングを行い、トリミング後の画像を選択画面（図８，図１１，及び図１４）に表示しているが、ユーザ取得画像の表示の態様はこれに限定されない。例えば、上記のようなトリミングを行うことなく、撮影画像の周囲をマスクし、ユーザ取得画像のみが表示されるように、撮影画像自体（またはその一部）を選択画面に表示することもできる。要するに、ユーザ取得画像で規定される画像範囲が画面に表示されればよい。なお、選択対象となるライブビューとしてユーザに見えている複数の画像の大きさは、すべて同じまたは略同一とすることができる。
【００８０】
＜６．６＞
また、撮影画像から、トリミングやマスクによりユーザ取得画像を生成する以外に、例えば、物理的なカメラの向きの変更、あるいは光学的なズームアップ及びズームアウトにより、ユーザ取得画像の画像範囲を決めてもよい。すなわち、カメラによる撮影画像をユーザ取得画像とすることもできる。さらには、カメラの向きの変更、ズームアップ及びズームアウトと、トリミング及びマスクと、を混在してユーザ取得画像の画像範囲を設定することもできる。
【００８１】
＜６．７＞
上記実施形態では、全身撮影とアップ撮影の２種類を行っているが、いずれか一方でもよい。また、アップ撮影後に、撮影待ちをしているユーザがいない場合には、ボーナス撮影を行っているが、ボーナス撮影に代えて、撮影のやり直しを行うこともできる。すなわち、全身撮影またはアップ撮影の少なくとも１つを行い、既に撮影した全身撮影及びアップ撮影に係るユーザ取得画像と入れ替えることもできる。このとき、新たに生成したユーザ取得画像と、既に生成したユーザ取得画像とを比較し、既に生成したユーザ取得画像をそのまま維持することもできる。また、このようなボーナス撮影または撮影のやり直しを、撮影待ちのユーザの有無にかかわらず行ってもよいし、あるいは、全く行わないようにしてもよい。
【００８２】
＜６．８＞
上記実施形態では、ユーザ取得画像の画像範囲は、予め決定されたものであるが、被写体となるユーザに応じて決定することもできる。例えば、全身撮影の場合には、図７に示す撮影画像から公知の顔検出技術により、ユーザの顔を検知し、ユーザの顔がすべて含まれ、且つ全身がすべて含まれる範囲を第１範囲とすることができる。続いて、それよりも上方及び左右に広い範囲を第２範囲として設定することができる。
【００８３】
また、アップ撮影の場合には、例えば、図１０、図１３、及び図１６に示す撮影画像から顔検出を行い、検出されたすべての顔の高さ方向の平均値を、高さ方向の中心とした第２範囲を設定する。このとき、第２範囲の大きさ（形状）は予め設定しておく。次に、第２範囲の大きさを変更することなく、これを上下に所定距離だけずらした第１範囲及び第３範囲を設定する。こうして、アップ撮影時の第１〜第３範囲を設定する。なお、第２範囲の設定方法は特には限定されず、上記のような平均値に限らず例えば、一番背の高いユーザの顔を中心としてもよいし、一番背の低いユーザの顔を中心としてもよい。
【００８４】
さらに、顔検出等に基づいて、基準となる画像範囲を設定し、これを基準に他の範囲を設定することもできる。例えば、図１１の例では、左側のユーザ取得画像は、被写体の上方にスペースが多すぎ、右側のユーザ取得画像は被写体の頭が切れている。したがって、真ん中のユーザ取得画像が、ユーザの位置と画像範囲とのバランスが取れた最適な範囲であると考えられるので、これをデフォルトの画像範囲として設定し、この画像範囲を拡大縮小したり、あるいは位置を変更することで、他の画像範囲を設定することもできる。
【００８５】
＜６．９＞
上記実施形態に係る撮影装置では、出力処理部５５が、シートの印刷を行うことで、ユーザ取得画像の出力を行っているが、シートや、ユーザ取得画像のデータを出力することもできる。この場合、電子データは、ユーザの携帯端末に直接送信したり、あるいは外部サーバに送信後、当該サーバからユーザがインターネットを介して取得することもできる。
【００８６】
＜６．１０＞
上記実施形態に係る撮影装置においては、画像の編集を行うこともできる。すなわち、ユーザ取得画像やシートに対して、画像の編集作業を行うことができるようにしてもよい。
【符号の説明】
【００８７】
３１…タッチパネルディスプレイ（入力部）、
３２…カメラ（撮影部）、
４０…電子ペン（入力部）、
５…制御部、
６１…プログラム
【図１Ａ】
2019045772.tif 000003
【図１Ｂ】
2019045772.tif 000004
【図２】
2019045772.tif 000005
【図３】
2019045772.tif 000006
【図４】
2019045772.tif 000007
【図５】
2019045772.tif 000008
【図６】
2019045772.tif 000009
【図７】
2019045772.tif 000010
【図８】
2019045772.tif 000011
【図９】
2019045772.tif 000012
【図１０】
2019045772.tif 000013
【図１１】
2019045772.tif 000014
【図１２】
2019045772.tif 000015
【図１３】
2019045772.tif 000016
【図１４】
2019045772.tif 000017
【図１５】
2019045772.tif 000018
【図１６】
2019045772.tif 000019
【図１７】
2019045772.tif 000020